(57)【要約】【課題】設置自由度の高い横置型給湯器を提供する。【解決手段】底面と天面とを有する形状のハウジング内に、燃焼容器と熱交換器と排気カバーとを水平方向に接続された状態で収納し、底面および天面には、横置型給湯器を支える複数の脚部を突設する。そして、複数の脚部の高さは、底面あるいは天面を下に向けて横置型給湯器を設置した時に、熱交換器内で生じた燃焼排気内の結露水が排気カバーに向かって流れるように横置型給湯器を傾けた状態で支える高さに設定する。こうすれば、底面あるいは天面の何れを下に向けた態様でも横置型給湯器を設置することができる。加えて、何れの態様で設置された場合でも、熱交換器内で生じた燃焼排気内の結露水が排気カバーに向かって流れるので熱交換器が損傷を受ける虞も無い。その結果、底面あるいは天面の何れを下にするかを気にする必要もなくなり、横置型給湯器の設置の自由度を向上させることができる。【選択図】図３
2018004217.tif 000002
【特許請求の範囲】
【請求項１】
燃料ガスを燃焼させるバーナーが収納された燃焼容器と、該燃焼容器に接続されて前記バーナーで生成された燃焼排気が通過することによって湯を生成する熱交換器と、該熱交換器を通過した前記燃焼排気が流出する排気口が設けられた排気カバーとを備え、前記燃焼容器と前記熱交換器と前記排気カバーとが水平方向に接続された状態でハウジング内に収納された横置型給湯器において、
前記ハウジングは、底面と天面とを有する形状であり、
前記ハウジングの底面および天面には、該底面あるいは該天面を下に向けて前記横置型給湯器を設置した時に、該横置型給湯器を支える複数の脚部が突設されており、
前記複数の脚部の高さは、前記底面あるいは前記天面を下に向けて前記横置型給湯器を設置した時に、前記熱交換器内で生じた前記燃焼排気内の結露水が前記排気カバーに向かって流れるように前記横置型給湯器を傾けた状態で支える高さに設定されている
ことを特徴とする横置型給湯器。
【請求項２】
請求項１に記載の横置型給湯器において、
前記ハウジングは、前記底面および前記天面に加えて、少なくとも一組の互いに向き合う側面を有する箱形形状であり、
前記一組の側面の一方には、前記ハウジング外に排出される前記燃焼排気が通過する排気通過口が開口しており、
前記一組の側面の他方には、前記バーナーに供給される前記燃料ガスが通過する燃料ガス通過口と、前記熱交換器に供給される水が通過する水通過口と、前記熱交換器で生成された湯が通過する湯通過口とが開口している
ことを特徴とする横置型給湯器。
【請求項３】
請求項１または請求項２に記載の横置型給湯器において、
前記熱交換器と前記排気カバーとは、前記熱交換器と前記排気カバーとの接続部分に着目すると、前記横置型給湯器が設置されたときに、前記結露水が流れる前記熱交換器の内周底面よりも、前記結露水が流れ込む前記排気カバーの内周底面の方が低くなる状態で接続されている
ことを特徴とする横置型給湯器。
【発明の詳細な説明】
【技術分野】
【０００１】
本発明は、バーナーを収納した燃焼容器と、熱交換器と、排気口が設けられた排気カバーとが水平方向に接続された状態でハウジング内に収納された横置型給湯器に関する。
【背景技術】
【０００２】
バーナーで燃料ガスを燃焼させて高温の燃焼排気を生成し、この燃焼排気と水とを熱交換器で熱交換させることによって湯を生成する給湯器は広く使用されている。この給湯器は、一般に、バーナーを収納する燃焼容器の上方に熱交換器が配置され、その熱交換器の上方に排気口が形成されることが通常であり、バーナーで発生した燃焼排気は上方に向かって流れることによって、排気口から排出される。
【０００３】
また、設置スペースなどの要請で、バーナーごと燃焼容器を横倒しにして、燃焼容器の側方に熱交換器を配置し、その熱交換器の側方に排気口を設けて、燃焼排気が水平方向に流れるようにした給湯器（以下、横置型給湯器）も提案されている（特許文献１）。尚、横置型給湯器に対して、燃焼容器の上方に熱交換器が配置されて、燃焼排気が上方（場合によっては下方）に流れる給湯器を、縦置型給湯器と称することにする。
【先行技術文献】
【特許文献】
【０００４】
【特許文献１】特開２００３−１８５１２６号公報
【発明の概要】
【発明が解決しようとする課題】
【０００５】
しかし、横置型給湯器は、縦置型給湯器に比べて設置の自由度が低いという問題があった。すなわち、縦置型給湯器は燃焼排気が上方に向けて排出されるので、例えば燃焼排気を屋外に排出するための排出孔が、給湯器に対して右側の壁面に設けられている場合でも、あるいは左側の壁面に設けられている場合でも、排気通路の配管によって容易に対応することができる。これに対して横置型給湯器は、側面から燃焼排気が排出されるので、燃焼排気を屋外に排出するための排出孔が、燃焼排気が排出される側とは反対側の壁面に設けられている場合には、排気通路の配管が大がかりになってしまう。このため、配管のスペースが確保できずに給湯器を設置できなくなるか、若しくは給湯器の設置が困難になるという問題があった。
【０００６】
この発明は、従来の技術が有する上述した課題に対応してなされたものであり、設置自由度の高い横置型給湯器を提供することを目的とする。
【課題を解決するための手段】
【０００７】
上述した課題を解決するために、本発明の給湯器は次の構成を採用した。すなわち、
燃料ガスを燃焼させるバーナーが収納された燃焼容器と、該燃焼容器に接続されて前記バーナーで生成された燃焼排気が通過することによって湯を生成する熱交換器と、該熱交換器を通過した前記燃焼排気が流出する排気口が設けられた排気カバーとを備え、前記燃焼容器と前記熱交換器と前記排気カバーとが水平方向に接続された状態でハウジング内に収納された横置型給湯器において、
前記ハウジングは、底面と天面とを有する形状であり、
前記ハウジングの底面および天面のそれぞれには、該底面あるいは該天面を下に向けて前記横置型給湯器を設置した時に、該横置型給湯器を支える複数の脚部が突設されており、
前記複数の脚部の高さは、前記底面あるいは前記天面を下に向けて前記横置型給湯器を設置した時に、前記熱交換器内で生じた前記燃焼排気内の結露水が前記排気カバーに向かって流れるように前記横置型給湯器を傾けた状態で支える高さに設定されている
ことを特徴とする。
【０００８】
かかる本発明の横置型給湯器においては、底面と天面とを有する形状のハウジング内に、燃焼容器と熱交換器と排気カバーとが水平方向に接続された状態で収納されており、底面および天面のそれぞれには、横置型給湯器を支える複数の脚部が突設されている。そして、それら複数の脚部の高さは、底面あるいは天面を下に向けて横置型給湯器を設置すると、燃焼容器よりも熱交換器の方が低く、熱交換器よりも排気カバーの方が低くなって、熱交換器内で生じた燃焼排気内の結露水が排気カバーに向かって流れるように横置型給湯器を傾けた状態で支える高さに設定されている。
【０００９】
こうすれば、底面および天面の何れにも脚部が設けられているので、底面を下に向けた態様だけでなく、天面を下に向けた態様でも横置型給湯器を設置することができる。加えて、底面を下に向けた態様あるいは天面を下に向けた態様の何れで横置型給湯器を設置した場合でも、熱交換器内で生じた燃焼排気内の結露水が排気カバーに向かって流れるように横置型給湯器が傾いた状態で設置される。このため、熱交換器内に結露水が留まって熱交換器が損傷を受ける虞も無い。その結果、底面あるいは天面の何れを下にするかを気にする必要もなくなるので、横置型給湯器の設置の自由度を向上させることが可能となる。
【００１０】
また、上述した本発明の横置型給湯器においては、ハウジングの形状を、底面および天面に加えて、少なくとも一組の互いに向き合う側面を有する箱形形状としてもよい。そして、一組の側面の一方には、ハウジング外に排出される燃焼排気が通過する排気通過口を開口させ、一組の側面の他方には、燃料ガスが通過する燃料ガス通過口と、熱交換器に供給される水が通過する水通過口と、熱交換器で生成された湯が通過する湯通過口とを開口させても良い。
【００１１】
ハウジング内には、燃焼容器と熱交換器と排気カバーとが水平方向に接続された状態で収納されているので、向き合う一組の側面の一方には排気通過口を開口させ、他方の側面には燃料ガス通過口と、水通過口と、湯通過口とを開口させれば、横置型給湯器の内部での排気や燃料ガスや水や湯の配管が容易になる。また、底面あるいは天面の何れを下に向けた態様でも横置型給湯器を設置することができるので、横置型給湯器の設置場所の状況に合わせて、底面あるいは天面の何れかを下に向けて設置することで、横置型給湯器の外部での排気や燃料ガスや水や湯の配管も容易になる。
【００１２】
また、上述した本発明の横置型給湯器においては、熱交換器と排気カバーとの接続部分では、熱交換器の内周面と排気カバーの内周面とが次のような位置関係となるように、熱交換器と排気カバーとを接続しても良い。すなわち、横置型給湯器が設置されたときに、結露水が流れる熱交換器の内周底面よりも、結露水が流れ込む排気カバーの内周底面の方が低くなる状態で、熱交換器と排気カバーとが接続されるようにしても良い。
【００１３】
こうすれば、熱交換器と排気カバーとの組み付け誤差の影響で、熱交換器の内周底面よりも、排気カバーの内周底面の方が高くなってしまい、熱交換器から排気カバーに結露水が流れなくなってしまう事態を回避することができる。加えて、熱交換器の内周底面よりも排気カバーの内周底面の方が低くなっているので、その分だけ多くの結露水を排気カバー側に溜めておくことができる。そのため、たとえ多くの結露水が発生することがあっても、熱交換器側に溢れさせることなく、結露水を処理することが可能となる。
【００１４】
また、上述した本発明の給湯器は、次のような態様で把握することもできる。すなわち、
燃料ガスを燃焼させるバーナーが収納された燃焼容器と、該燃焼容器に接続されて前記バーナーで生成された燃焼排気が通過することによって湯を生成する熱交換器と、該熱交換器を通過した前記燃焼排気が流出する排気口が設けられた排気カバーとを備え、前記燃焼容器と前記熱交換器と前記排気カバーとが水平方向に接続された状態でハウジング内に収納された横置型給湯器において、
前記ハウジングの底面には、前記横置型給湯器を設置した時に該横置型給湯器を支える複数の脚部が突設されており、
前記複数の脚部の高さは、前記底面あるいは前記天面を下に向けて前記横置型給湯器を設置した時に、前記熱交換器内で生じた前記燃焼排気内の結露水が前記排気カバーに向かって流れるように前記横置型給湯器を傾けた状態で支える高さに設定されている
ことを特徴とする。
【００１５】
このような態様で把握された本発明の横置型給湯器においては、燃焼容器と熱交換器と排気カバーとが水平方向に接続された状態で、ハウジング内に収納されており、ハウジングの底面には、横置型給湯器を支える複数の脚部が突設されている。そして、それら複数の脚部の高さは、横置型給湯器を設置した時に、燃焼容器よりも熱交換器の方が低く、熱交換器よりも排気カバーの方が低くなって、熱交換器内で生じた燃焼排気内の結露水が排気カバーに向かって流れるように横置型給湯器を傾けた状態で支える高さに設定されている。このため、熱交換器内で結露が発生しても結露水は熱交換器から排気カバーに向かって流れるので、熱交換器内に結露水が留まって熱交換器が損傷を受ける虞が生じない。
【図面の簡単な説明】
【００１６】
【図１】本実施例の横置型給湯器１の構造を示す説明図である。
【図２】本実施例の横置型給湯器１の天面１０ａに突設された脚部１３ａ，１３ｂ、および底面１０ｂに突設された脚部１４ａ，１４ｂを示す斜視図である。
【図３】本実施例の横置型給湯器１の設置状態を示す説明図である。
【図４】熱交換器５０と排気カバー６０との接続部の形状を拡大して示した断面図である。
【図５】変形例の横置型給湯器２についての説明図である。
【発明を実施するための形態】
【００１７】
図１は、本実施例の横置型給湯器１の大まかな構造を示す説明図である。図１（ａ）には、本実施例の横置型給湯器１の外観形状が示されている。図示されるように、本実施例の横置型給湯器１は、一方の側面が開口した箱形形状のハウジング１０と、ハウジング１０の開口部分を塞いだ状態で取り付けられた前カバー１１とを備えており、大まかには横長の直方体形状をしている。ハウジング１０には、天面１０ａと、天面１０ａに向き合う位置に設けられた図示しない底面１０ｂと、３つの側面とが設けられている。これら３つの側面の中の一組の側面は互いに向き合う位置に設けられており、互いに向き合う一方の側面１０ｃには、後述する排気口６０ｅが側面１０ｃを貫通して突出されている。また、側面１０ｃに向き合うもう一方の側面１０ｄ（図１では不図示）には、後述する給水配管２０ｉと、出湯配管２０ｏと、燃料ガス配管２０ｇとが、側面１０ｄを貫通して突出されている。
【００１８】
図１（ｂ）には、ハウジング１０内に収納された横置型給湯器１の大まかな内部構造が示されている。図示されるように、ハウジング１０内には、燃焼ファン３０と、燃焼容器４０と、熱交換器５０と、排気カバー６０とが、この順番で水平方向に接続されて収納されている。このうちの燃焼容器４０には、図示しないバーナーが内蔵されており、バーナーで燃料ガスを燃焼させることによって高温の燃焼排気を生成する。バーナーで燃焼させる燃料ガスは、ハウジング１０の外部から燃料ガス配管２０ｇを介して燃焼容器４０に供給される。また、燃焼に必要な燃焼用空気は、燃焼ファン３０から燃焼容器４０に供給される。そして、燃焼容器４０で燃料ガスと燃焼用空気とが燃焼して生成した燃焼排気は、燃焼容器４０から熱交換器５０に流入する。
【００１９】
熱交換器５０の内部には、銅製の図示しない通水管が蛇行した状態で収納されており、通水管には銅製のフィンが複数枚取り付けられている。更に、通水管およびフィンを収納する熱交換器５０のケースも銅板によって形成されている。そして、通水管の一端側には、給水配管２０ｉが接続されており、通水管の他端側には出湯配管２０ｏが接続されている。給水配管２０ｉから水を供給しながら燃焼容器４０で燃料ガスと燃焼用空気とを燃焼させると、燃焼容器４０で生成された高温の燃焼排気が熱交換器５０に流入して、通水管内を流れる水を加熱する。その結果、燃焼排気で暖められた水が湯になって出湯配管２０ｏから流出する。また、通水管内の水を温めることによって冷やされた燃焼排気は、熱交換器５０から排気カバー６０内に流入して、排気カバー６０に形成された排気口６０ｅから外部に排出される。また、図１（ｃ）に示したように、ハウジング１０から前カバー１１を取り外すと、横置型給湯器１に内蔵された各種部品をメンテナンスすることが可能となっている。
【００２０】
図２は、本実施例の横置型給湯器１の天面１０ａ、底面１０ｂ、および向かい合う２つの側面１０ｃ，１０ｄの詳細な形状を示した説明図である。図２（ａ）には、ハウジング１０の天面１０ａを上向きにした横置型給湯器１の標準的な設置状態が示されている。標準的な設置状態では、前カバー１１の側から見て横置型給湯器１の右側から排気口６０ｅが突出した状態となる。このことに対応して、前カバー１１の側から見て右側の側面１０ｃには、円形の大きな排気通過口１２ｅが開口しており、この排気通過口１２ｅから排気口６０ｅが突出されている。
【００２１】
また、天面１０ａの四隅には、４つの脚部１３ａ，１３ｂが突設されている。このうち、前カバー１１の側から見て右側（従って、排気口６０ｅが突出されている側）に突設されている２つの脚部１３ｂと、左側に突設されている２つの脚部１３ａとは、天面１０ａからの突出量が異なっており、左側の脚部１３ａの方が右側の脚部１３ｂよりも突出量が大きくなっている。
【００２２】
図２（ｂ）には、ハウジング１０の天面１０ａを下向きにして、底面１０ｂを上向きにした横置型給湯器１の設置状態が示されている。この上下を逆転させた設置状態では、前カバー１１の側から見て横置型給湯器１の右側から、給水配管２０ｉや、出湯配管２０ｏ、燃料ガス配管２０ｇが接続された状態となる。このことに対応して、上下を逆転させた設置状態では、前カバー１１の側から見て右側となる側面１０ｄに、給水配管２０ｉが貫通する水通過口１２ｉと、出湯配管２０ｏが貫通する湯通過口１２ｏと、燃料ガス配管２０ｇが貫通する燃料ガス通過口１２ｇとが開口している。尚、以下では、給水配管２０ｉと出湯配管２０ｏと燃料ガス配管２０ｇとをまとめて、各種配管２０ｉ，２０ｏ，２０ｇと称することがあるものとする。
【００２３】
また、底面１０ｂの四隅にも、４つの脚部１４ａ，１４ｂが突設されている。このうち、上下を逆転させた設置状態で、前カバー１１の側から見て右側（従って、各種配管２０ｉ，２０ｏ，２０ｇが接続されている側）に突設されている２つの脚部１４ａと、右側に突設されている２つの脚部１４ｂとは、底面１０ｂからの突出量が異なっており、右側の脚部１４ａの方が左側の脚部１４ｂよりも突出量が大きくなっている。
【００２４】
このように、本実施例の横置型給湯器１は、底面１０ｂの四隅に脚部１４ａ，１４ｂが突設されているだけでなく、天面１０ａの四隅にも脚部１３ａ，１３ｂが突設されている。このため、図２（ａ）に示した標準の設置状態に加えて、図２（ｂ）に示したように、上下を逆転させた状態でも設置することができる。その結果、メンテナンする側（前カバー１１が設けられた側）はそのままで、各種配管２０ｉ，２０ｏ，２０ｇが接続される側と、排気口６０ｅが突出する側とを逆転させた２通りの態様で設置することが可能となる。すなわち、図２（ａ）に示した標準の設置状態では、前カバー１１の側（メンテナンスする側）から見て、左側に各種配管２０ｉ，２０ｏ，２０ｇが接続され、右側に排気口６０ｅが突出している。これに対して、図２（ｂ）に示すように、上下を逆転させた設置状態では、右側に各種配管２０ｉ，２０ｏ，２０ｇが接続され、左側に排気口６０ｅが突出した状態とすることができる。このため、横置型給湯器１を設置する状況に合わせて、図２（ａ）に示した標準の設置状態と、図２（ｂ）に示した上下を逆転させた設置状態とを選択することができるので、横置型給湯器１のメンテナンス性を何ら損なうことなく、設置の自由度を大幅に向上させることが可能となる。
【００２５】
加えて、天面１０ａに突設された４つの脚部１３ａ，１３ｂは、各種配管２０ｉ，２０ｏ，２０ｇが接続された側の脚部１３ａの方が、排気口６０ｅが突出する側の脚部１３ｂよりも、天面１０ａからの突出量が大きく設定されている（図２（ａ）参照）。底面１０ｂに突設された４つの脚部１４ａ，１４ｂについても同様に、各種配管２０ｉ，２０ｏ，２０ｇが接続された側の脚部１４ａの方が、排気口６０ｅが突出する側の脚部１４ｂよりも、底面１０ｂからの突出量が大きく設定されている（図２（ｂ）参照）。このため、図２（ａ）に示した標準の設置状態でも、図２（ｂ）に示した上下を逆転させた設置状態でも、横置型給湯器１は、排気口６０ｅが突出している側が低くなるように傾いた状態で設置されることになる。こうすることによって、横置型給湯器１の耐久性を向上させることが可能となる。
【００２６】
図３は、排気口６０ｅが突出している側が低くなるように横置型給湯器１を傾けた状態で設置することで、横置型給湯器１の耐久性を向上させることが可能な理由を示す説明図である。図３（ａ）には、横置型給湯器１が標準的な状態で設置されたときの横置型給湯器１の内部の状態が示されている。図１（ｂ）を用いて前述したように、横置型給湯器１の内部には、燃焼ファン３０と、燃焼容器４０と、熱交換器５０と、排気カバー６０とがこの順番で水平に接続されて収納されている。そして、燃焼容器４０で生成された燃焼排気は、熱交換器５０で冷やされて、排気カバー６０の排気口６０ｅから外部に排出される。
【００２７】
ここで、燃焼排気には、燃料ガスの燃焼によって生じた水蒸気が含まれている。従って、熱交換器５０を通過する際に燃焼排気が冷やされることによって、燃焼排気中の水蒸気が熱交換器５０の内部で結露して結露水が発生する。また、燃焼排気中には、燃焼時に空気中の窒素が酸化することによって生じた窒素酸化物も（微量ではあるが）含まれている。更に、燃料ガス中に硫黄成分が含まれている場合には、その硫黄成分が燃焼によって酸化した硫黄酸化物が含まれることもある。そして、これら窒素酸化物や硫黄酸化物が溶け込むことによって、熱交換器５０で生じた結露水は、弱酸性を呈するドレンと呼ばれる液体となる。
【００２８】
また、前述したように、熱交換器５０は、内部に設けられた通水管も、通水管に取り付けられたフィンも、通水管およびフィンを収納するケースも銅製となっている。このため、熱交換器５０内にドレンが留まると、熱交換器５０に穴が開いてしまう虞がある。そして、横置型給湯器１では、燃焼容器４０と熱交換器５０と排気カバー６０とが水平方向に接続されており、熱交換器５０が横倒しの状態となっているので、熱交換器５０内で生じたドレンが熱交換器５０内の下面側に留まり易くなっている。
【００２９】
そこで、本実施例の横置型給湯器１では、図３（ａ）に示したように、横置型給湯器１を設置すると、排気口６０ｅが突出している側が低くなるように傾いた状態で設置されるようにしている。こうすれば、熱交換器５０内で発生したドレンが、熱交換器５０内を下方に滴下して熱交換器５０の下面に達しても、その下面が排気カバー６０の側に傾斜しているので、排気カバー６０に向けてドレンを排出させることができる。このため、熱交換器５０内にドレンが留まることが無いので、熱交換器５０に穴が開いてしまうことが無い。
【００３０】
また、熱交換器５０内にドレンを留まらせないという点からは、横置型給湯器１を傾ける方向を逆にして、排気口６０ｅが突出している側を高くすることも有効であるが、こうすると、熱交換器５０内で生じたドレンは燃焼容器４０内に流入することになる。ところが、燃焼容器４０内には、バーナーや、点火プラグや、炎センサーなどの精密な部品が複数搭載されており、これらがドレンの影響を受けると横置型給湯器１の不具合が生じる可能性がある。これに対して、排気カバー６０は単純な構造であり、しかも、耐熱性の観点からステンレス製の板金によって形成されており、ステンレスは耐酸腐食性にも優れているので、ドレンが流入しても不具合に至る虞は生じない。
【００３１】
そして、本実施例の横置型給湯器１では、底面１０ｂに突設された脚部１４ａと脚部１４ｂとで、底面１０ｂからの突出量を異ならせることによって、横置型給湯器１を傾けることとしているので、単に横置型給湯器１を設置するだけで、排気口６０ｅが突出している側が低くなる正しい傾斜で横置型給湯器１を設置することが可能となる。
【００３２】
以上では、横置型給湯器１を標準的な状態（すなわち、底面１０ｂを下方に向けた状態）で設置する場合について説明したが、横置型給湯器１の上下を逆転させた状態（すなわち、天面１０ａを下方に向けた状態）で設置する場合についても、全く同様な説明が当て嵌まる。図３（ｂ）には、上下を逆転させた状態で設置したときの横置型給湯器１の内部の状態が示されている。天面１０ａに突設されている脚部１３ａ，１３ｂについても、排気口６０ｅ側の脚部１３ｂより、反対側の脚部１３ａの方が、天面１０ａからの突出量が大きいので、横置型給湯器１を設置すると、排気口６０ｅが突出している側が低くなるように傾いた状態で設置される。このため、熱交換器５０内で発生したドレンを排気カバー６０に向けて排出させることができるので、熱交換器５０内に溜まったドレンで熱交換器５０に穴が開いてしまうことが無い。
【００３３】
加えて、上下を逆転させた状態（すなわち天面１０ａを下方に向けた状態）で設置する場合でも、天面１０ａに突設された脚部１３ａと脚部１３ｂとで、天面１０ａからの突出量を異ならせることによって、横置型給湯器１を傾けることとしているので、単に横置型給湯器１を設置するだけで、排気口６０ｅが突出している側が低くなる正しい傾斜で横置型給湯器１を設置することが可能となる。
【００３４】
また、本実施例の横置型給湯器１では、熱交換器５０内で発生したドレンが排気カバー６０に流入することとなる。従って、熱交換器５０と排気カバー６０との接続部分は、ドレンの流入を妨げない形状としておくことが望ましい。図４（ａ）には、熱交換器５０と排気カバー６０との接続部分（図３中でＡおよびＢと表示した部分）の拡大断面図が示されている。図示されるように、熱交換器５０と排気カバー６０とは、フランジ５１と排気カバー６０とを用いて、熱交換器５０およびパッキン５２を挟み込んだ状態で、図示しないボルトによって接続されている。そして、ドレンが流れる熱交換器５０の内周底面５０ｕと、ドレンが流れ込む排気カバー６０の内周底面６０ｕとはほぼ面一となっており、更に、パッキン５２も突出しない状態で取り付けられている。このため、熱交換器５０で発生したドレンが妨げられることなく排気カバー６０に流入することができる。また、排気カバー６０に流入したドレンは排気カバー６０の下端部分に溜まるが、前述したように排気カバー６０は耐酸腐食性に優れた材質で形成されているので、腐食によって穴が開くなどの問題が生じることがない。そして、時間の経過と共にドレンを蒸発させて処理することが可能となる。
【００３５】
尚、図４（ｂ）に示したように、熱交換器５０の向き合う内周面の間隔よりも、排気カバー６０の向き合う内周面の間隔を（少なくとも上下方向には）広くしておき、熱交換器５０に排気カバー６０を組み付けた時に、熱交換器５０の内周底面５０ｕに対して、排気カバー６０の内周底面６０ｕが一段低くなるようにしてもよい。こうすれば、組み付け時のバラツキの影響で、熱交換器５０の内周底面５０ｕよりも排気カバー６０の内周底面６０ｕの方が高くなってしまい、熱交換器５０から排気カバー６０にドレンが流れなくなる事態を回避することができる。加えて、排気カバー６０に溜めておけるドレンの量も増加するので、たとえ多量のドレンが発生した場合でも排気カバー６０側で処理することが可能となる。
【００３６】
また、図４（ｃ）に例示したように、排気カバー６０の内周底面６０ｕにドレン溜まり６０ｄを設けることとしても良い。尚、図３に示したように横置型給湯器１は上下を逆転させた態様でも設置されるから、ドレン溜まり６０ｄは、排気カバー６０の内周底面６０ｕに向かい合う面にも形成しておく。こうすれば、ドレン溜まり６０ｄにもドレンを溜めることができるので、多量のドレンが発生した場合でも、それらのドレンを排気カバー６０側で確実に処理することが可能となる。
【００３７】
尚、上述した本実施例の横置型給湯器１では、天面１０ａおよび底面１０ｂに、それぞれ脚部１３ａ，１３ｂおよび脚部１４ａ，１４ｂを設けることとしたが、天面１０ａには脚部１３ａ，１３ｂを設けずに、底面１０ｂに脚部１４ａ，１４ｂを設けることも可能である。図５には、このような変形例の横置型給湯器２が例示されている。図５（ａ）は、変形例の横置型給湯器２の外観形状を示す斜視図であり、図５（ｂ）は、変形例の横置型給湯器２を設置した状態を示す説明図である。図５（ｂ）に示されるように、このような変形例でも、横置型給湯器２を設置すると自然に排気カバー６０の方が熱交換器５０よりも低くなる。このため、たとえ熱交換器５０で燃焼排気が結露して、ドレンと呼ばれる結露水が生じた場合でも、ドレンは熱交換器５０から排気カバー６０に流れるので、熱交換器５０が損傷を受けることを回避することが可能となる。
【００３８】
以上、本実施例の横置型給湯器１について説明したが、本発明は上記の実施例に限られるものではなく、その要旨を逸脱しない範囲において種々の態様で実施することが可能である。
【符号の説明】
【００３９】
１，２…横置型給湯器、      １０…ハウジング、            １０ａ…天面、
１０ｂ…底面、              １０ｃ，ｄ…側面、            １１…前カバー、
１２ｅ…排気通過口、        １２ｇ…燃料ガス通過口、      １２ｉ…水通過口、
１２ｏ…湯通過口、          １３ａ，ｂ…脚部、            １４ａ，ｂ…脚部、
２０ｇ…燃料ガス配管、      ２０ｉ…給水配管、            ２０ｏ…出湯配管、
３０…燃焼ファン、          ４０…燃焼容器、              ５０…熱交換器、
５０ｕ…内周底面、          ５１…フランジ、              ５２…パッキン、
６０…排気カバー、          ６０ｄ…ドレン溜まり、        ６０ｅ…排気口、
６０ｕ…内周底面。
【図１】
2018004217.tif 000003
【図２】
2018004217.tif 000004
【図３】
2018004217.tif 000005
【図４】
2018004217.tif 000006
【図５】
2018004217.tif 000007
【手続補正書】
【提出日】平成29年4月18日(2017.4.18)
【手続補正１】
【補正対象書類名】明細書
【補正対象項目名】００２３
【補正方法】変更
【補正の内容】
【００２３】
また、底面１０ｂの四隅にも、４つの脚部１４ａ，１４ｂが突設されている。このうち、上下を逆転させた設置状態で、前カバー１１の側から見て右側（従って、各種配管２０ｉ，２０ｏ，２０ｇが接続されている側）に突設されている２つの脚部１４ａと、左側に突設されている２つの脚部１４ｂとは、底面１０ｂからの突出量が異なっており、右側の脚部１４ａの方が左側の脚部１４ｂよりも突出量が大きくなっている。
【手続補正２】
【補正対象書類名】明細書
【補正対象項目名】００２４
【補正方法】変更
【補正の内容】
【００２４】
このように、本実施例の横置型給湯器１は、底面１０ｂの四隅に脚部１４ａ，１４ｂが突設されているだけでなく、天面１０ａの四隅にも脚部１３ａ，１３ｂが突設されている。このため、図２（ａ）に示した標準の設置状態に加えて、図２（ｂ）に示したように、上下を逆転させた状態でも設置することができる。その結果、メンテナンスする側（前カバー１１が設けられた側）はそのままで、各種配管２０ｉ，２０ｏ，２０ｇが接続される側と、排気口６０ｅが突出する側とを逆転させた２通りの態様で設置することが可能となる。すなわち、図２（ａ）に示した標準の設置状態では、前カバー１１の側（メンテナンスする側）から見て、左側に各種配管２０ｉ，２０ｏ，２０ｇが接続され、右側に排気口６０ｅが突出している。これに対して、図２（ｂ）に示すように、上下を逆転させた設置状態では、右側に各種配管２０ｉ，２０ｏ，２０ｇが接続され、左側に排気口６０ｅが突出した状態とすることができる。このため、横置型給湯器１を設置する状況に合わせて、図２（ａ）に示した標準の設置状態と、図２（ｂ）に示した上下を逆転させた設置状態とを選択することができるので、横置型給湯器１のメンテナンス性を何ら損なうことなく、設置の自由度を大幅に向上させることが可能となる。